(57)【要約】【課題】ディスプレイ保護用パネル及びフロントケースに衝撃等の外力が加えられフロントケースが変形しても、ディスプレイが破損しないようにするとともに、保護用クッションの従来の役目である、光漏れ防止及び防塵性能も従来通り確保する。【解決手段】携帯電話機（ディスプレイ付電子機器、携帯通信機器）にフロントケース２の表面のディスプレイ用窓４を被うように、液晶ディスプレイを保護するためのディスプレイ保護用パネルを貼り付ける。ディスプレイ用窓４の裏面周辺と液晶ディスプレイとの間に保護用クッションを貼り付ける。ディスプレイ用窓４の周縁のうち、ドライバー（電子部品）に対応する部分に該ドライバーを露出させるように切欠部２１を切り欠き、この切欠部２１周縁から保護用クッション側へ突出して該保護用クッションに当接する突起部２２を形成する。【選択図】図８
2008089839.tif 000002
【特許請求の範囲】
【請求項１】
ディスプレイを備えたディスプレイ付電子機器において、
上記ディスプレイを露出させるディスプレイ用窓を有する第１ケースと、
上記第１ケースに係合し、該第１ケースと共に筐体を形成する第２ケースと、
上記ディスプレイ及びディスプレイ制御用の電子部品と配線とを有するディスプレイ用基板を有し、上記筐体内部に組み込まれるディスプレイユニットとを備え、
上記第１ケースの表面に上記ディスプレイ用窓を被うように、ディスプレイを保護するためのディスプレイ保護用パネルが貼り付けられ、
上記第１ケースのディスプレイ用窓の裏面周縁と上記ディスプレイとの間に保護用クッションが貼り付けられ、
上記第１ケースにおける上記ディスプレイ用窓の周縁のうち、上記ディスプレイ制御用の電子部品に対応する部分には、該電子部品を露出させるように切り欠いた切欠部と、該切欠部周縁から上記保護用クッション側へ突出して該保護用クッションに当接する突起部とが形成されている
ことを特徴とするディスプレイ付電子機器。
【請求項２】
請求項１に記載のディスプレイ付電子機器において、
上記突起部は、徐々に上記保護用クッション側へ突出するテーパ面を有している
ことを特徴とするディスプレイ付電子機器。
【請求項３】
請求項１又は２に記載のディスプレイ付電子機器において、
上記切欠部は、表面から見て、ディスプレイ用窓周縁端部に向かって互いに近付くように延びる一対の傾斜面を有している
ことを特徴とするディスプレイ付電子機器。
【請求項４】
請求項１乃至３のいずれか１つに記載のディスプレイ付電子機器において、
上記電子部品は、上記ディスプレイの薄肉となったガラス面に搭載されている
ことを特徴とするディスプレイ付電子機器。
【請求項５】
請求項１乃至４のいずれか１つに記載のディスプレイ付電子機器において、
上記ディスプレイは、液晶ディスプレイである
ことを特徴とするディスプレイ付電子機器。
【請求項６】
請求項１乃至４のいずれか１つに記載のディスプレイ付電子機器において、
上記ディスプレイは、有機ＥＬディスプレイである
ことを特徴とするディスプレイ付電子機器。
【請求項７】
請求項１乃至６のいずれか１つに記載のディスプレイ付電子機器において、
携帯通信機器である
ことを特徴とするディスプレイ付電子機器。
【発明の詳細な説明】
【技術分野】
【０００１】
本発明は、携帯電話機などのディスプレイを備えたディスプレイ付電子機器に関するものである。
【背景技術】
【０００２】
従来より、携帯電話機などのＬＣＤ（液晶ディスプレイ）を備えたディスプレイ付電子機器は、ＬＣＤフレキシブル基板を有するＬＣＤと回路基板とを有している。ディスプレイ付電子機器の筐体は、フロントケースとリアケースとで構成されている。フロントケースにはＬＣＤに対応したディスプレイ用窓が、概略長方形の形状で切り欠かれている。ディスプレイ用窓の周辺の裏面が保護用クッションを介してＬＣＤの周辺に当接するようにして、回路基板に固定されたＬＣＤフレームが、フロントケースとリアケースとの間に狭持して構成されている。フロントケースにはＬＣＤ画面を保護するために、透明のディスプレイ保護用パネルが設けられ、ディスプレイ用窓からＬＣＤ画面が覗くようになっている。
【０００３】
一般に、この種の電子機器には、ＬＣＤとして頻繁にユニット化されたＬＣＤユニットを使用する場合が多く、その構造上、概略長方形の液晶の１辺のガラス面にＬＣＤ表示を制御する電気部品（ドライバー）が搭載されている。
【０００４】
例えば、特許文献１では、ディスプレイ保護用パネル側から、比較的剛性の高いフロントケースを変形させる外力が加わると、その外力を緩和させるように、フロントケースにＬＣＤに対応したディスプレイ用窓を形成する切欠形状の４辺のうち、１辺を半月形に形成した構造が開示されている。
【特許文献１】特開２００５−１８９５１２号公報
【発明の開示】
【発明が解決しようとする課題】
【０００５】
しかしながら、従来の構成においては、衝撃等の外力でフロントケースが変形するのを緩和しても、ドライバーに対応した部分に切欠きがないため、ディスプレイ保護用パネル又はその近傍のフロントケースに外力が加わった場合、開口のために剛性の低くなったディスプレイ用窓を構成する１辺の中央部を変形させ、その荷重が、保護用クッションを介してディスプレイ側に伝わって、ＬＣＤユニットの構造上薄くなっているガラス面に実装されているドライバーに伝わり、ガラス面が破壊する。そのため、ドライバーとディスプレイ用窓との隙間を大きくとって、ディスプレイ用窓を構成する１辺が外力によって変形しても、ドライバーに当接しないようにしなくてはならない。このため、電子機器をあまり薄くできないという問題がある。
【０００６】
また、フロントケースのディスプレイ用窓のドライバーに対応した部分を切り欠くと、保護用クッション貼付部に貼られた保護用クッションが、ディスプレイ用窓の切欠きのためディスプレイ表示面から浮いてしまって、本来の保護用クッションの役目である、ディスプレイ外周からの光漏れの防止及び埃がディスプレイ外周から表示面に舞い込まないよう防止する防塵が不十分になる。
【０００７】
本発明は、かかる点に鑑みてなされたものであり、その目的とするところは、ディスプレイ保護用パネル及びフロントケースに衝撃等の外力が加えられフロントケースが変形しても、ディスプレイが破損しないようにするとともに、保護用クッションの役目である光漏れ防止及び防塵性能も従来通り確保することにある。
【課題を解決するための手段】
【０００８】
上記の目的を達成するために、この発明では、ディスプレイ用窓周縁のディスプレイ制御用の電子部品に対応する部分に切欠部と突起部とを形成した。
【０００９】
具体的には、第１の発明では、ディスプレイを備えたディスプレイ付電子機器を前提とし、
上記ディスプレイを露出させるディスプレイ用窓を有する第１ケースと、
上記第１ケースに係合し、該第１ケースと共に筐体を形成する第２ケースと、
上記ディスプレイ及びディスプレイ制御用の電子部品と配線とを有するディスプレイ用基板を有し、上記筐体内部に組み込まれるディスプレイユニットとを備え、
上記第１ケースの表面に上記ディスプレイ用窓を被うように、ディスプレイを保護するためのディスプレイ保護用パネルが貼り付けられ、
上記第１ケースのディスプレイ用窓の裏面周縁と上記ディスプレイとの間に保護用クッションが貼り付けられ、
上記第１ケースにおける上記ディスプレイ用窓の周縁のうち、上記ディスプレイ制御用の電子部品に対応する部分には、該電子部品を露出させるように切り欠いた切欠部と、該切欠部周縁から上記保護用クッション側へ突出して該保護用クッションに当接する突起部とが形成されている。
【００１０】
上記の構成によると、薄型化により、フロントケースとディスプレイとの間に隙間をほとんど設けない場合であっても、ディスプレイに搭載された電子部品に対応する部分を切り欠いているため、衝撃等によりフロントケースが変形しても、フロントケースが電子部品に当接することはない。また、突起部を設けていることにより、保護用クッションがディスプレイに密着するので、ディスプレイ周辺からの光漏れや埃の浸入が防止される。
【００１１】
第２の発明では、上記突起部は、徐々に上記保護用クッション側へ突出するテーパ面を有している。
【００１２】
上記の構成によると、フロントケースの突起部にテーパ面を設けているので、このテーパ面により、保護用クッションに外方向に引っ張る分力が生じ、保護用クッションが弛まないように張力が発生する。このため、保護用クッションが更に確実にディスプレイに密着するので、ディスプレイ周辺からの光漏れや埃の浸入が効果的に防止される。
【００１３】
第３の発明では、上記切欠部は、表面から見て、ディスプレイ用窓周縁端部に向かって互いに近付くように延びる一対の傾斜面を有している。
【００１４】
上記の構成によると、フロントケースのディスプレイに搭載されているドライバーに対応したディスプレイ用窓の切欠部の形状を斜めにすることにより、不必要に切欠部を大きくするのを防いで、保護用クッションが更に弛みにくくなり、ディスプレイ表示面との密着性がよくなる。
【００１５】
第４の発明では、上記電子部品は、上記ディスプレイの薄肉となったガラス面に搭載されている。
【００１６】
すなわち、ディスプレイ保護用パネル又はその近傍のフロントケースに外力が加わった場合、開口のために剛性の低くなったディスプレイ用窓を構成する１辺の中央部が変形し、保護用クッションを介して荷重がディスプレイ側に伝わって、ディスプレイユニットの構造上薄くなっているガラス面に実装されている電子部品に伝わり、ガラス面が破壊するおそれがある。しかし、上記の構成によると、フロントケースが電子部品に当接することはないので、ガラス面が破損するのが防止される。
【００１７】
第５の発明では、上記ディスプレイは、液晶ディスプレイとする。
【００１８】
上記の構成によると、液晶ディスプレイは、一般に普及しており、安価で寿命が長い。
【００１９】
第６の発明では、上記ディスプレイは、有機ＥＬディスプレイとする。
【００２０】
上記の構成によると、有機ＥＬディスプレイは、自発光を発するため消費電力が小さく、液晶ディスプレイに比べて視野角が広く、かつバックライトを必要としないため、薄型化が可能である。
【００２１】
第７の発明では、ディスプレイ付電子機器は、携帯通信機器とする。
【００２２】
上記の構成によると、薄型化が要求される携帯通信機器において、ディスプレイの故障やディスプレイ周辺の光漏れ及び防塵対策が効果的に行われる。
【発明の効果】
【００２３】
以上説明したように、本発明によれば、ディスプレイ付電子機器において、第１ケースにおけるディスプレイ用窓の周縁のうち、ディスプレイ制御用の電子部品に対応する部分に該電子部品を露出させるように切欠部を設け、この切欠部の周縁から保護用クッション側へ突出する突起部を形成したことにより、外力による衝撃が電子部品に伝わらず、かつ、保護用クッションのディスプレイに対する密着性も損なわれないので、ディスプレイ周辺の光漏れ及び防塵対策もでき、電子部品と保護用クッション貼付部との間に大きなスペースを取る必要もないので、電子機器の薄型化をも図ることができる。
【発明を実施するための最良の形態】
【００２４】
以下、本発明の実施形態を図面に基づいて説明する。
【００２５】
図１は本発明の実施形態にかかるディスプレイ付電子機器（携帯通信機器）としての携帯電話機を表面側から見た斜視図であり、図２は、裏面側から見た斜視図である。図３は、図１の分解図である。図４は、携帯電話機をディスプレイ側から見た平面図である。図５は、図４のＶ−Ｖ線断面図及びその一部拡大図である。
【００２６】
図１乃至図５に示すように、携帯電話機１は、第１ケースとしてのフロントケース２と第２ケースとしてのリアケース３とによって被われている。フロントケース２とリアケース３とで携帯電話機１を被う筐体３０を構成している。フロントケース２の上側には、略矩形状のディスプレイ用窓４が開口し、このディスプレイ用窓４からディスプレイとしての液晶ディスプレイ５が覗いている。フロントケース２の下側には、操作部用窓６が開口し、該操作部用窓６から操作部７が露出するようになっている。例えば、液晶ディスプレイ５の上側に受話器８及びサブカメラ１８が設けられている。操作部７には、入力ボタン７ａ及び機能ボタン７ｂが設けられ、下面に送話部９が設けられている。また、側面にはサイドキー１０があり、裏面にはメインカメラ１１が設けられている。リアケース３は、アンテナカバー１６及び電池蓋１７で被われている。
【００２７】
図６は、ディスプレイユニットを表面側から見た斜視図である。図６に示すように、ディスプレイユニット１３は、液晶ディスプレイ５及び液晶ディスプレイ５を制御するための電子部品であるドライバー２３と配線（図示せず）とを有するディスプレイ用基板２４を備えている。ドライバー２３は、薄くなった液晶ディスプレイ５のガラス面２６に搭載されている。これらが矩形枠状の液晶取付用ブラケット２５に固定されている。液晶取付用ブラケット２５は、操作部７、液晶ディスプレイ５等を制御する回路基板１５に固定されている。
【００２８】
図３に示すように、発泡ウレタン等よりなる矩形枠状の保護用クッション１２により表面外周が被われて回路基板１５に固定されたディスプレイユニット１３と、操作部７とが上記フロントケース２及びリアケース３に嵌め込まれている。このとき、露出した液晶ディスプレイ５は、ディスプレイ保護用パネル１４に被われ、ドライバー２３は、保護用クッション１２の下に隠れて外観には現れないようになっている。
【００２９】
図７は、フロントケース２の正面図である。図８は、図７を裏面側から見た斜視図と突起部の拡大図である。図３、図７及び図８に示すように、上記ディスプレイ用窓４の周縁には、周囲よりも凹んだ保護用パネル貼付部１９が形成され、この保護用パネル貼付部１９に、上記ディスプレイ保護用パネル１４が貼り付けられている。保護用パネル貼付部１９の裏面には、上記保護用クッション１２が貼り付けられる保護用クッション貼付部２０が形成されている。
【００３０】
そして、本発明の特徴として、ディスプレイ用窓４を取り囲むフロントケース２の保護用パネル貼付部１９の４辺のうち、下辺に両端が斜めに切り込まれた切欠部２１が形成されている。切欠部２１は、ドライバー２３の表面側に位置し、ドライバー２３の両側に対応する部分には、表面から見て、ディスプレイ用窓４の周縁端部に向かって互いに近付くように延びる一対の傾斜面２１ａが形成されている。この傾斜面２１ａの裏側に図８に拡大して示すように、突起部２２が形成されている。突起部２２には、徐々に保護用クッション１２側へ突出するテーパ面２２ａが形成されている。
【００３１】
−作用−
次に、本実施形態にかかる携帯電話機１の作用について説明する。
【００３２】
図５に一部拡大して示すように、保護用クッション貼付部２０にはテーパ面２２ａをもった突起部２２が設けられているため、ディスプレイ保護用パネル１４を嵌め込むときの力Ｆ１は、テーパ面２２ａによって液晶ディスプレイ５側に向かって左右外側の方向に押し付ける分力Ｆ２を発生させる。
【００３３】
このため、切欠部２１が形成されていても、ドライバー２３及び液晶ディスプレイ５の表示面に保護用クッション１２を密着させることが可能になり、液晶ディスプレイ５の外周からの光漏れ及び埃の舞い込みが防止される。
【００３４】
ドライバー２３に対向する部分には、固いフロントケース２の保護用クッション貼付部２０は存在せず、弾力性のある保護用クッション１２のみが配置される。このため、ディスプレイ保護用パネル１４又はその近傍のフロントケース２に外力が加わって、フロントケース２のディスプレイ用窓４の開口辺の中央部が変形しても、保護用クッション１２を介してドライバー２３に荷重が伝わることがない。
【００３５】
−実施形態の効果−
したがって、本実施形態にかかる携帯電話機１によると、フロントケース２におけるディスプレイ用窓４の周縁のうち、ドライバー２３に対応する部分にドライバー２３を露出させるように切欠部２１を設け、この切欠部２１の周縁から保護用クッション１２側へ突出する突起部２２を形成したことにより、外力による衝撃に対し、液晶ディスプレイ５に搭載したドライバー２３に衝撃がかからず、かつ、保護用クッション１２の液晶ディスプレイ５に対する密着性も損なわれないので、液晶ディスプレイ５周辺の光漏れ及び防塵対策もできる。また、ドライバー２３と保護用クッション貼付部２０との間に大きなスペースを取る必要もないので、携帯電話機１の薄型化をも図ることができる。
【００３６】
（その他の実施形態）
本発明は、上記実施形態について、以下のような構成としてもよい。
【００３７】
すなわち、上記実施形態では、ディスプレイは、液晶ディスプレイとしたが、有機ＥＬディスプレイとしてもよい。有機ＥＬディスプレイは、自発光を発するため消費電力が小さく、液晶ディスプレイに比べて視野角が広く、かつバックライトを必要としないため、薄型化が可能である。一方、液晶ディスプレイは、有機ＥＬディスプレイに比べて安価で寿命が長い。
【００３８】
上記実施形態では、ディスプレイ付電子機器は、携帯電話機としたが、ＰＣ、モバイルツール、ＰＨＳ、ＰＤＡなどの携帯通信機器でもよく、電子辞書、電卓、複写機などのディスプレイ付電子機器でもよい。
【００３９】
なお、以上の実施形態は、本質的に好ましい例示であって、本発明、その適用物や用途の範囲を制限することを意図するものではない。
【図面の簡単な説明】
【００４０】
【図１】本発明の実施形態にかかる携帯電話機の表面側から見た斜視図である。
【図２】携帯電話機の裏面側から見た斜視図である。
【図３】図１の分解斜視図である。
【図４】図１の正面図である。
【図５】図４のＶ−Ｖ線断面図とその一部拡大図である。
【図６】ディスプレイユニットを表面側から見た斜視図である。
【図７】フロントケースの正面図である。
【図８】図７を裏面側から見た斜視図と突起部の拡大図である。
【符号の説明】
【００４１】
１      携帯電話機(ディスプレイ付電子機器、携帯通信機器）
２      フロントケース（第１ケース）
３      リアケース（第２ケース）
４      ディスプレイ用窓
５      液晶ディスプレイ（ディスプレイ）
１２      保護用クッション
１３      ディスプレイユニット
１４      ディスプレイ保護用パネル
２１      切欠部
２１ａ    傾斜面
２２      突起部
２２ａ    テーパ面
２３      ドライバー（電子部品）
２４      ディスプレイ用基板
３０      筐体
【図１】
2008089839.tif 000003
【図２】
2008089839.tif 000004
【図３】
2008089839.tif 000005
【図４】
2008089839.tif 000006
【図５】
2008089839.tif 000007
【図６】
2008089839.tif 000008
【図７】
2008089839.tif 000009
【図８】
2008089839.tif 000010